(57)【特許請求の範囲】
【請求項１】
複数の人感センサのそれぞれにおける人の存否の検知状態に応じて、光源が取り付けられる複数の照明器具のうち、それぞれの人感センサに対応する１つ以上の照明器具に対する照明制御を行う照明制御部と、
画面を有するワイヤレスリモコンに具備され、人感センサごとに、対応付ける照明器具を前記複数の照明器具から選択し、選択した照明器具にグループの識別子を設定し、人感センサごとに、対応する照明器具と同じグループの識別子を設定する選択部と
を備え、
隣接する２つ以上の人感センサには、少なくとも１つの照明器具が共通して対応付けられ、
人感センサごとに、対応する照明器具に対して、人の存否の検知状態に応じて調光させる光源の調光率が予め設定され、
前記照明制御部は、１つの人感センサ及びその人感センサに隣接する人感センサの全てにて人の存在又は不在が検知された場合、当該１つの人感センサ及びその人感センサに隣接する人感センサに共通して対応する照明器具に対して、光源の調光率を当該１つの人感センサ及びその人感センサに隣接する人感センサのそれぞれに設定された調光率の最大値又は平均値又は最小値に調光させ、
前記選択部は、前記複数の人感センサのアドレスを収集して前記ワイヤレスリモコンの画面上に表示し、表示したアドレスの中からグループ設定の対象となる人感センサのアドレスを決定する操作を前記ワイヤレスリモコンの使用者から受け付け、その操作によりグループ設定の対象となった人感センサに設定するグループの識別子を選択する操作を前記ワイヤレスリモコンの使用者から受け付けるとともに、前記複数の照明器具のアドレスを収集して前記ワイヤレスリモコンの画面上に表示し、表示したアドレスの中からグループ設定の対象となる照明器具のアドレスを決定する操作を前記ワイヤレスリモコンの使用者から受け付け、その操作によりグループ設定の対象となった照明器具に設定するグループの識別子を選択する操作を前記ワイヤレスリモコンの使用者から受け付けることを特徴とする照明制御システム。
【請求項２】
前記選択部は、さらに、設定済のグループの識別子を選択する操作を前記ワイヤレスリモコンの使用者から受け付け、その操作により選択されたグループの識別子が設定された照明器具のアドレスを収集して前記ワイヤレスリモコンの画面上に表示し、表示したアドレスの中からグループ再設定の対象となる照明器具のアドレスを決定する操作を前記ワイヤレスリモコンの使用者から受け付け、その操作によりグループ再設定の対象となった照明器具に設定するグループの識別子を選択する操作を前記ワイヤレスリモコンの使用者から受け付けることを特徴とする請求項１に記載の照明制御システム。
【請求項３】
前記選択部は、さらに、設定済のグループの識別子を選択する操作を前記ワイヤレスリモコンの使用者から受け付け、その操作により選択されたグループの識別子が設定された照明器具のアドレスを収集して前記ワイヤレスリモコンの画面上に表示し、表示したアドレスの中からグループ設定解除の対象となる照明器具のアドレスを決定する操作を前記ワイヤレスリモコンの使用者から受け付け、その操作によりグループ設定解除の対象となった照明器具に対するグループの識別子の設定を解除することを特徴とする請求項１又は２に記載の照明制御システム。
【請求項４】
前記ワイヤレスリモコンは、さらに、選択ボタンと決定ボタンとを有し、
前記選択部は、グループ設定の対象となる人感センサのアドレスを決定する操作を受け付ける際に、前記ワイヤレスリモコンの選択ボタンが押下される度に前記ワイヤレスリモコンの画面上でアクティブにするアドレスを切り替え、前記ワイヤレスリモコンの決定ボタンが押下されると前記ワイヤレスリモコンの画面上でアドレスをアクティブにしている人感センサをグループ設定の対象に決定し、
前記複数の人感センサのそれぞれは、ＬＥＤを有し、アドレスが前記選択部により前記ワイヤレスリモコンの画面上でアクティブにされると前記ＬＥＤが点灯することを特徴とする請求項１から３のいずれかに記載の照明制御システム。
【請求項５】
前記ワイヤレスリモコンは、さらに、選択ボタンと決定ボタンとを有し、
前記選択部は、グループ設定の対象となる照明器具のアドレスを決定する操作を受け付ける際に、前記ワイヤレスリモコンの選択ボタンが押下される度に前記ワイヤレスリモコンの画面上でアクティブにするアドレスを切り替え、前記ワイヤレスリモコンの決定ボタンが押下されると前記ワイヤレスリモコンの画面上でアドレスをアクティブにしている照明器具をグループ設定の対象に決定し、
前記複数の照明器具のそれぞれは、アドレスが前記選択部により前記ワイヤレスリモコンの画面上でアクティブにされると他の照明器具より明るく点灯することを特徴とする請求項１から３のいずれかに記載の照明制御システム。
【請求項６】
人感センサごとに、対応する照明器具が複数の壁スイッチのうち１つに対応付けられ、
前記照明制御部は、さらに、壁スイッチの操作に基づいて、当該壁スイッチに対応する照明器具に対して照明制御を行うことを特徴とする請求項１から５のいずれかに記載の照明制御システム。
【請求項７】
前記照明制御部は、照明器具に対して、予め設定されたフェード時間をかけて光源の調光率を増減させるフェード制御を行わせることを特徴とする請求項１から６のいずれかに記載の照明制御システム。
【発明の詳細な説明】
【技術分野】
【０００１】
本発明は、照明制御システムに関するものである。
【背景技術】
【０００２】
一般的な照明制御システムとして、照明エリアに人が入ってくると、人感センサにより人の存在を検知して、その照明エリア内の照明装置を自動的に点灯するものがある。この照明制御システムを利用したものとして、従来、照明エリアに人が入ってくると、隣接する照明エリア内の照明装置が点灯している場合、人が入ってきた照明エリア内の照明装置をゆっくりと点灯するように、フェードの傾きを小さくし、一方、隣接する照明エリア内の照明装置が消灯している場合は、人が入ってきた照明エリア内の照明装置を短時間で点灯するように、フェードの傾きを大きくしたものがある（例えば、特許文献１参照）。
【特許文献１】特開平１１−１６２６５８号公報
【発明の開示】
【発明が解決しようとする課題】
【０００３】
従来の照明制御システムでは、複数の照明エリアが隣接する形で設定されており、人の存在を検知した照明エリア内の照明装置のみを点灯するため、隣接する照明エリア内の照明装置は全て消灯状態となり、照明エリアの狭間が暗くなってしまうという課題があった。人の存在を検知した照明エリア内の照明装置だけでなく、隣接する照明エリア内の照明装置も一部点灯することで、その人の実際の作業場所より広い範囲を明るくしてもよいが、人の存在を検知した照明エリアの周辺の照明エリア内でも照明装置の点灯制御を行う場合、上位コントローラの保持データによって、照明装置の位置情報やグループ番号の関連付けを行う必要があり、コントローラ上のマイコンのメモリ増大やコストアップに繋がってしまうという課題があった。
【０００４】
本発明は、例えば、人の存在を検知した照明エリア内の照明装置を点灯又は調光するだけで、その人の実際の作業場所より広い範囲で明るさを確保することを目的とする。
【課題を解決するための手段】
【０００５】
本発明の一の態様に係る照明制御システムは、
複数の人感センサのそれぞれにおける人の存否の検知状態に応じて、光源が取り付けられる複数の照明器具のうち、それぞれの人感センサに対応する１つ以上の照明器具に対する照明制御を行う照明制御部を備える照明制御システムであって、
隣接する２つ以上の人感センサには、少なくとも１つの照明器具が共通して対応付けられていることを特徴とする。
【発明の効果】
【０００６】
本発明の一の態様によれば、照明制御システムにおいて、照明制御部が、人感センサにおける人の存否の検知状態に応じて、当該人感センサに対応する１つ以上の照明器具に対する照明制御を行い、このとき、隣接する２つ以上の人感センサに、少なくとも１つの照明器具が共通して対応付けられているため、例えば、人の存在を検知した照明エリア内の照明装置を点灯又は調光するだけで、その人の実際の作業場所より広い範囲の明るさを確保することが可能となる。
【発明を実施するための最良の形態】
【０００７】
以下、本発明の実施の形態について、図を用いて説明する。
【０００８】
実施の形態１．
図１は、本実施の形態に係る照明制御システム１の構成を示すブロック図である。
【０００９】
図１において、照明制御システム１は、複数の照明装置２を備える。それぞれの照明装置２は、照明制御部２０、照明器具２１、ランプ２２（光源）を具備する。また、照明制御システム１は、複数の人感センサ３を備える。それぞれの人感センサ３は１つ以上の照明装置２の照明器具２１に対応付けられており、照明制御システム１は、それぞれの人感センサ３を、対応する照明器具２１に対する照明制御に利用する。ここでは、１つの人感センサ３に対応する照明器具２１、即ち、その人感センサ３を利用して行われる照明制御の対象となる照明器具２１の範囲（照明エリア）を、その人感センサ３の制御範囲４（図２以降で例示する）という。１つの人感センサ３の制御範囲４には、その人感センサ３が人の存否を検知可能なエリア、即ち、人感検知エリア５（図２以降で例示する）に設置された照明装置２の照明器具２１の全て又は一部が含まれる。また、１つの人感センサ３の制御範囲４には、その人感センサ３の人感検知エリア５に隣接する別の人感検知エリア５に設置された照明装置２の照明器具２１も少なくとも１つ含まれる。なお、物理的には２つ以上の人感センサ３を１つの人感センサ３として扱うことも可能である。この場合、１つの人感センサ３として扱われる人感センサ３全てに対して、１つの制御範囲４が設定され、１つの人感検知エリア５が存在することになる。
【００１０】
ここで、制御範囲４と人感検知エリア５の例を図２に示す。図２の例では、互いに衝立などで仕切られた部屋が９つあり、各部屋に人感センサ３（Ｓ１〜Ｓ９）が１つずつ設置されている。これにより、各部屋が１つの人感検知エリア５となっている。各部屋には照明装置２が４つずつ設置されている。１つの人感センサ３の制御範囲４（図中、破線で示している）には、その人感センサ３と同じ部屋に設置された照明装置２の照明器具２１の全てが含まれている。また、１つの人感センサ３の制御範囲４には、その人感センサ３が設置されている部屋に隣接する部屋に設置された照明装置２のうち、部屋の境界に最も近い照明装置２の照明器具２１が含まれている。つまり、１つの人感センサ３の制御範囲４には、その人感センサ３の人感検知エリア５内に設置されている照明器具２１とともに、前後左右に１台ずつ多くの照明器具２１が含まれている。
【００１１】
このように、１台の人感センサ３によって通常制御したい照明器具２１の範囲（人感検知エリア５）よりも広い範囲を制御範囲４として設定することで、人が実際に作業するエリア（部屋）に入ってきたときに、そのエリア内の照明装置２だけでなく、そのエリアの周辺の照明装置２も点灯させることが可能となり、人感検知エリア５の狭間にいる作業者にも快適な視環境を与えられる。そのため、作業者は、人感検知エリア５を意識して作業位置を調整する必要がなくなり、より安全に、より効率のよい作業を行うことが可能となる。
【００１２】
以下、図２の例における人感センサ３の制御範囲４を図３、図４、図５に個別に示す。
【００１３】
例えば、図３には、Ｓ１の制御範囲４を示す。図３に示すように、Ｓ１の制御範囲４には、
（１）Ｓ１の部屋に設置された４つの照明器具２１、
（２）Ｓ１の部屋に隣接するＳ２の部屋に設置された４つの照明器具２１のうち、Ｓ１の部屋との境界に最も近い２つの照明器具２１、
（３）Ｓ１の部屋に隣接するＳ４の部屋に設置された４つの照明器具２１のうち、Ｓ１の部屋との境界に最も近い２つの照明器具２１、
（４）Ｓ１の部屋に隣接するＳ５の部屋に設置された４つの照明器具２１のうち、Ｓ１の部屋との境界に最も近い１つの照明器具２１、
合計９個の照明器具２１が含まれている。
【００１４】
同様に、図４には、Ｓ２の制御範囲４を示す。図４に示すように、Ｓ２の制御範囲４には、
（１）Ｓ２の部屋に設置された４つの照明器具２１、
（２）Ｓ２の部屋に隣接するＳ１の部屋に設置された４つの照明器具２１のうち、Ｓ２の部屋との境界に最も近い２つの照明器具２１、
（３）Ｓ２の部屋に隣接するＳ３の部屋に設置された４つの照明器具２１のうち、Ｓ２の部屋との境界に最も近い２つの照明器具２１、
（４）Ｓ２の部屋に隣接するＳ４の部屋に設置された４つの照明器具２１のうち、Ｓ２の部屋との境界に最も近い１つの照明器具２１、
（５）Ｓ２の部屋に隣接するＳ５の部屋に設置された４つの照明器具２１のうち、Ｓ２の部屋との境界に最も近い２つの照明器具２１、
（６）Ｓ２の部屋に隣接するＳ６の部屋に設置された４つの照明器具２１のうち、Ｓ２の部屋との境界に最も近い１つの照明器具２１、
合計１２個の照明器具２１が含まれている。
【００１５】
同様に、図５には、Ｓ５の制御範囲４を示す。図５に示すように、Ｓ５の制御範囲４には、
（１）Ｓ５の部屋に設置された４つの照明器具２１、
（２）Ｓ５の部屋に隣接するＳ１の部屋に設置された４つの照明器具２１のうち、Ｓ５の部屋との境界に最も近い１つの照明器具２１、
（３）Ｓ５の部屋に隣接するＳ２の部屋に設置された４つの照明器具２１のうち、Ｓ５の部屋との境界に最も近い２つの照明器具２１、
（４）Ｓ５の部屋に隣接するＳ３の部屋に設置された４つの照明器具２１のうち、Ｓ５の部屋との境界に最も近い１つの照明器具２１、
（５）Ｓ５の部屋に隣接するＳ４の部屋に設置された４つの照明器具２１のうち、Ｓ５の部屋との境界に最も近い２つの照明器具２１、
（６）Ｓ５の部屋に隣接するＳ６の部屋に設置された４つの照明器具２１のうち、Ｓ５の部屋との境界に最も近い２つの照明器具２１、
（７）Ｓ５の部屋に隣接するＳ７の部屋に設置された４つの照明器具２１のうち、Ｓ５の部屋との境界に最も近い１つの照明器具２１、
（８）Ｓ５の部屋に隣接するＳ８の部屋に設置された４つの照明器具２１のうち、Ｓ５の部屋との境界に最も近い２つの照明器具２１、
（９）Ｓ５の部屋に隣接するＳ９の部屋に設置された４つの照明器具２１のうち、Ｓ５の部屋との境界に最も近い１つの照明器具２１、
合計１６個の照明器具２１が含まれている。
【００１６】
このように、１つの人感センサ３の制御範囲４と、隣接する他の人感センサ３の制御範囲４は、少なくとも一部が重複する。つまり、隣接する２つ以上の人感センサ３には、少なくとも１つの照明器具２１が共通して対応付けられている。
【００１７】
それぞれの照明装置２において、照明制御部２０は、照明器具２１が対応する人感センサ３における人の存否の検知状態に応じて、照明器具２１に対する照明制御を行う。具体的には、照明制御部２０は、照明器具２１が対応する人感センサ３が人の存在を検知した場合、照明器具２１に対し、所定の調光率を指定して、照明器具２１に取り付けられたランプ２２を調光させる（直前の調光率が０％であり、指定された調光率が０％より大きい場合、点灯制御となる）。一方、照明制御部２０は、照明器具２１が対応する人感センサ３が人の不在を検知した場合、照明器具２１に対し、所定の調光率より低い調光率を指定してランプ２２を調光させる（指定された調光率が０％である場合、消灯制御となる）。なお、ランプ２２は、例えば蛍光灯、高圧放電灯、ＬＥＤなどである。
【００１８】
照明制御部２０が指定する調光率は、一律に決められていてもよいが、人感センサ３ごとに設定されるものであってもよい。つまり、照明制御システム１において、人感センサ３ごとに、対応する照明器具２１に対して、人の存否の検知状態に応じて調光させるランプ２２の調光率が設定されていてもよい。この場合、照明制御部２０は、人感センサ３における人の存否の検知状態に応じて、当該人感センサ３に対応する照明器具２１に対して、ランプ２２の調光率を当該人感センサ３に設定された調光率に調光させる。ここで、照明制御部２０は、それぞれの人感センサ３に設定された調光率を、記録媒体に予め記憶しておいてもよいし、人感センサ３から人の存否の検知状態が通知される際に同時に通知されてもよい。前者の場合、例えば人感センサ３が人の存在を検知すると、照明制御部２０には、その人感センサ３から人の存在を検知したことを通知される。そして、照明制御部２０は、記録媒体から、その人感センサ３に設定されている調光率を読み取り、照明器具２１に対し、その調光率でランプ２２を調光させる。一方、後者の場合、例えば人感センサ３が人の存在を検知すると、照明制御部２０には、その人感センサ３から人の存在を検知したこと、及び、その人感センサ３に設定されている調光率を通知される。そして、照明制御部２０は、照明器具２１に対し、その調光率でランプ２２を調光させる。
【００１９】
調光率が人感センサ３ごとに設定される場合、隣接する２つ以上の人感センサ３に設定された調光率が異なることもあり得る。そのため、隣接する２つ以上の人感センサ３に対応付けられた照明器具２１に対し、同時に、あるいは、短期間内に異なる調光率が指定される可能性がある。そのため、照明制御部２０は、隣接する人感センサ３の全てにて人の存在又は不在が検知された場合、当該隣接する人感センサ３に共通して対応する照明器具２１に対して、ランプ２２の調光率を当該隣接する人感センサ３のそれぞれに設定された調光率のうち所定の基準により選択される値に調光させる。ここで、所定の基準により選択される値とは、調光率の最大値、調光率の平均値、調光率の最小値などである。
【００２０】
以下、所定の基準により選択される値として（Ａ）調光率の最大値、（Ｂ）調光率の平均値、（Ｃ）調光率の最小値が用いられる場合について、図２の例を用いて説明する。前提として、例えば、Ｓ１、Ｓ２、Ｓ４、Ｓ５で人の存在が検知された場合に指定される調光率を順番に７０％、８０％、９０％、９０％とし、Ｓ１、Ｓ２、Ｓ４、Ｓ５で人の不在が検知された場合に指定される調光率を順番に１０％、０％、０％、０％とする。
【００２１】
人がＳ１の部屋とＳ２の部屋の境目に移動した場合、Ｓ１とＳ２が人の存在を検知する（Ｓ４、Ｓ５は人の不在を検知しており、Ｓ１とＳ２の検知状態が優先されるものとする）。このとき、
（１）Ｓ１の部屋に設置された４つの照明装置２のうち、Ｓ１の制御範囲４のみに含まれる照明装置２では、照明制御部２０は、照明器具２１に対し、Ｓ１に設定された調光率７０％を指定してランプ２２を調光させる。
（２）Ｓ１、Ｓ２の制御範囲４の両方に含まれる照明装置２では、照明制御部２０は、照明器具２１に対し、（Ａ）の場合にはＳ１、Ｓ２に設定された調光率の最大値８０％、（Ｂ）の場合には平均値７５％、（Ｃ）の場合には最小値７０％を指定してランプ２２を調光させる。
（３）Ｓ１、Ｓ４の制御範囲４の両方に含まれる照明装置２では、照明制御部２０は、照明器具２１に対し、（Ａ）の場合にはＳ１、Ｓ４に設定された調光率の最大値９０％、（Ｂ）の場合には平均値８０％、（Ｃ）の場合には最小値７０％を指定してランプ２２を調光させる。
（４）Ｓ１、Ｓ２、Ｓ４、Ｓ５の制御範囲４の全てに含まれる照明装置２では、照明制御部２０は、照明器具２１に対し、（Ａ）の場合にはＳ１、Ｓ２、Ｓ４、Ｓ５に設定された調光率の最大値９０％、（Ｂ）の場合には平均値８２．５％、（Ｃ）の場合には最小値７０％を指定してランプ２２を調光させる。
Ｓ１の部屋以外に設置された照明装置２でも、照明制御部２０が同様の動作をする。なお、同じ部屋に設置された照明装置２では調光率を揃えるようにしてもよい。例えば、（Ａ）の場合、Ｓ１の部屋に設置された４つの照明装置２において、ランプ２２の調光率が７０％、８０％、９０％、９０％とばらばらになるため、これを最大値９０％、平均値８２．５％、最小値７０％など１つの値に統一することができる。（Ｂ）、（Ｃ）の場合についても同様である。
【００２２】
人がＳ１の部屋とＳ２の部屋の境目から他の部屋に移動した場合、Ｓ１とＳ２が人の不在を検知する（Ｓ４、Ｓ５も人の不在を検知しているものとする）。このとき、
（１）Ｓ１の部屋に設置された４つの照明装置２のうち、Ｓ１の制御範囲４のみに含まれる照明装置２では、照明制御部２０は、照明器具２１に対し、Ｓ１に設定された調光率１０％を指定してランプ２２を調光させる。
（２）Ｓ１、Ｓ２の制御範囲４の両方に含まれる照明装置２では、照明制御部２０は、照明器具２１に対し、（Ａ）の場合にはＳ１、Ｓ２に設定された調光率の最大値１０％、（Ｂ）の場合には平均値５％、（Ｃ）の場合には最小値０％を指定してランプ２２を調光させる。
（３）Ｓ１、Ｓ４の制御範囲４の両方に含まれる照明装置２、及び、Ｓ１、Ｓ２、Ｓ４、Ｓ５の制御範囲４の全てに含まれる照明装置２でも上記（２）と同様である。
Ｓ１の部屋以外に設置された照明装置２でも、照明制御部２０が同様の動作をする。なお、同じ部屋に設置された照明装置２では調光率を揃えるようにしてもよい。例えば、（Ａ）の場合、Ｓ１の部屋に設置された４つの照明装置２において、ランプ２２の調光率が１０％、０％、０％、０％となるが、これを最大値１０％、平均値５％、最小値０％など１つの値に統一することができる。（Ｂ）、（Ｃ）の場合についても同様である。
【００２３】
このように、制御範囲４が重複する範囲に存在する照明器具２１は、複数の人感センサ３の検知状態によって動作し、それぞれの人感センサ３に設定された調光率の最大値、平均値、最小値などでランプ２２を調光することができる。
【００２４】
照明制御部２０は、隣接する人感センサ３の全てにて人の存在又は不在が検知された場合、当該隣接する人感センサ３に共通して対応する照明器具２１に対して、ランプ２２の調光率を当該隣接する人感センサ３のうち最後に人の存在又は不在を検知した人感センサに設定された調光率に調光させてもよい。つまり、制御範囲４が重複する範囲に存在する照明器具２１は、複数の人感センサ３の検知状態によって動作し、それぞれの人感センサ３について、又は、それぞれの人感センサ３から送信された調光率指令の中で最新の指令により指定された調光率でランプ２２を調光することができる。
【００２５】
上記のように、照明制御部２０は、人感センサ３が人の存在を検知した場合に照明器具２１にランプ２２を点灯又は調光させ、人感センサ３が人の不在を検知した場合に照明器具２１にランプ２２を消灯又は調光させる。照明制御部２０はそれぞれの照明装置２に具備されるものであるが、照明制御システム１全体でみると、照明制御部２０は、複数の人感センサ３のそれぞれにおける人の存否の検知状態に応じて、複数の照明器具２１のうち、それぞれの人感センサ３に対応する１つ以上の照明器具２１に対する照明制御を行うものである。なお、本実施の形態では、それぞれの照明装置２が照明制御部２０を具備する代わりに、他の１つ又は複数の装置（例えば、後述するコントローラ６）が照明制御部２０を具備してもよい。この場合、照明制御部２０は、それぞれの人感センサ３と通信を行って、それぞれの人感センサ３が人の存在を検知したか否かを監視するとともに、それぞれの人感センサ３における人の存否の検知状態に応じて、対応する照明器具２１と通信を行って、それぞれの照明器具２１に対する照明制御を行う。
【００２６】
照明制御システム１は、端末器として、照明装置２や人感センサ３のほかに、照度センサ６、壁スイッチ７などを備える。照度センサ６は、部屋の明るさによって、照明装置２の照明器具２１の調光率を制御する。壁スイッチ７は、人感センサ３の制御範囲４に対応付けられ、スイッチやボタンの押下により、その制御範囲４に含まれる照明装置２の点灯制御／消灯制御、調光制御、シーン制御を実行する。つまり、人感センサ３ごとに、対応する照明装置２の照明器具２１が複数の壁スイッチ７のうち１つに対応付けられている。そして、照明装置２において、照明制御部２０が、照明器具２１に対応する壁スイッチ７の操作に基づいて、照明器具２１に対して照明制御を行う。例えば、壁スイッチ７が使用者により操作された場合、人感センサ３の検知状態に応じた照明制御よりも壁スイッチ７の操作に応じた照明制御を優先して行う。
【００２７】
照明制御システム１は、さらに、各端末器を統括管理するコントローラ８、各端末器の状態をモニタしたり、各端末器の設定値（例えば、調光率）を変更したりするワイヤレスリモコン９や中央管理装置１０を備える。ワイヤレスリモコン９や中央管理装置１０は選択部９０を具備する。各端末器は、コントローラ８やワイヤレスリモコン９と無線通信を行う通信ユニット１１に有線シリアル信号線で接続されており、通信ユニット１１を介してコントローラ８やワイヤレスリモコン９との間でデータを送受信する。コントローラ８は、Ｅｔｈｅｒｎｅｔ（登録商標）などのＬＡＮ（ローカルエリアネットワーク）インターフェース機能をもつゲートウェイ１２と有線シリアル信号線で接続されており、ゲートウェイ１２を介して上位システムの中央管理装置１０との間でデータを送受信する。中央管理装置１０は、パソコンなどとして実装される。
【００２８】
ワイヤレスリモコン９や中央管理装置１０の選択部９０は、人感センサ３ごとに、対応させる照明装置２の照明器具２１を複数の照明装置２の照明器具２１から選択する。つまり、選択部９０は、それぞれの人感センサ３の制御範囲４を設定する。選択部９０は、それぞれの人感センサ３の制御範囲４を、図２〜図５の例のように、それぞれの人感センサ３の人感検知エリア５内に設置されている照明器具２１と、その前後左右１列ずつに設置されている照明器具２１に限ることなく、ワイヤレスリモコン９や中央管理装置１０の使用者が任意に選択した照明器具２１のグループとして設定することができる。例えば、選択部９０がワイヤレスリモコン９に具備されている場合、選択部９０は、ワイヤレスリモコン９の通信可能範囲にある照明器具２１に関する情報を一旦ワイヤレスリモコン９内部のデータベースに取り込み、その情報をワイヤレスリモコン９の液晶画面などに表示する。そして、ワイヤレスリモコン９の操作ボタンやタッチパネルにより、使用者にグループ登録したい照明器具２１をグループごとに選択させ、各グループのグループ番号と各グループに含まれる照明器具２１に関する情報をコントローラ８に送信する。また、例えば、選択部９０が中央管理装置１０に具備されている場合、選択部９０は、中央管理装置１０のモニタなどに表示される中央監視画面にて、使用者にグループ登録したい照明器具２１をグループごとに選択させ、各グループのグループ番号と各グループに含まれる照明器具２１に関する情報をコントローラ８に送信する。なお、選択部９０は、人感センサ３ごとに、任意のグループ番号を設定する。
【００２９】
ここで、選択部９０が設定する制御範囲４の例を図６に示す。また、図６の例において、コントローラ８、照明装置２の照明制御部２０、人感センサ３がメモリ内に保持するデータを図７、図８、図９に示す。この例では、Ｓ１〜Ｓ４の４台の人感センサ３が設置され、４つの人感検知エリア５を形成している。Ｓ１の人感検知エリア５には、Ｌ１、Ｌ２、Ｌ５、Ｌ６の４台の照明器具２１が設置されている。Ｓ２の人感検知エリア５には、Ｌ３、Ｌ４、Ｌ７、Ｌ８の４台の照明器具２１が設置されている。Ｓ３の人感検知エリア５には、Ｌ９、Ｌ１０、Ｌ１３、Ｌ１４の４台の照明器具２１が設置されている。Ｓ４の人感検知エリア５には、Ｌ１１、Ｌ１２、Ｌ１５、Ｌ１６の４台の照明器具２１が設置されている。ワイヤレスリモコン９又は中央管理装置１０の選択部９０は、人感センサ３ごとに、制御範囲４が人感検知エリア５より縦横１列ずつ広くなるように、制御範囲４に相当するグループを設定している。具体的には、
（１）選択部９０は、Ｓ１の制御範囲４に相当するグループＧ１に、Ｌ１、Ｌ２、Ｌ３、Ｌ５、Ｌ６、Ｌ７、Ｌ９、Ｌ１０、Ｌ１１を登録する。
（２）選択部９０は、Ｓ２の制御範囲４に相当するグループＧ２に、Ｌ２、Ｌ３、Ｌ４、Ｌ６、Ｌ７、Ｌ８、Ｌ１０、Ｌ１１、Ｌ１２を登録する。
（３）選択部９０は、Ｓ３の制御範囲４に相当するグループＧ３に、Ｌ５、Ｌ６、Ｌ７、Ｌ９、Ｌ１０、Ｌ１１、Ｌ１３、Ｌ１４、Ｌ１５を登録する。
（４）選択部９０は、Ｓ４の制御範囲４に相当するグループＧ４に、Ｌ６、Ｌ７、Ｌ８、Ｌ１０、Ｌ１１、Ｌ１２、Ｌ１４、Ｌ１５、Ｌ１６を登録する。
【００３０】
図７の表に示すように、コントローラ８は、内部のメモリに、グループごとに、各グループに登録された照明器具２１の識別子である照明器具番号と対応する人感センサ３の識別子である人感センサ番号とを記録する。また、図８の表の各行に示すように、照明装置２の照明制御部２０は、内部のメモリに、照明器具２１が登録されたグループの識別子であるグループ番号を記録する。また、図９の表の各行に示すように、人感センサ３は、内部のメモリに、対応するグループのグループ番号を記録するほか、そのグループに適用される不在制御モード、保持時間、フェード時間、ディレー時間、調光率（「在」検知時のものと「不在」検知時のもの）などの設定値を記録する。これらの設定値は、最終的には照明装置２の照明制御部２０に通知され、照明制御に利用されるものであるため、人感センサ３ではなく、コントローラ８や照明装置２の照明制御部２０がメモリに記録していてもよい。各設定値の利用形態について、図１０にタイムチャートを示す。図１０では、各グループに設定される不在制御モードとして、不在消灯パターン（通常モード）、不在省エネパターン（省エネモード）、不在残置パターン（残置モード）の３種類におけるタイムチャートを示している。各タイムチャートにおいて、縦軸は照明装置２のランプ２２の調光率、横軸は時間を表している。それぞれの照明装置２において、照明制御部２０は、照明装置２が登録されているグループの人感センサ３に設定された不在制御モードでランプ２２の消灯制御又は調光制御を行う。なお、照明装置２が複数のグループに登録されており、例えば、それぞれのグループの人感センサ３から調光率指令を受けた場合、照明制御部２０は、その中で最大の調光率でランプ２２を点灯させるように照明器具２１を制御する。つまり、照明制御部２０は、照明器具２１に対して、予め設定されたフェード時間をかけてランプ２２の調光率を増減させるフェード制御を行わせる。
【００３１】
以下では、ワイヤレスリモコン９を用いてグループの設定を行う方法について具体例を説明する。
【００３２】
図１１は、ワイヤレスリモコン９を用いて人感センサ３のグループ番号を設定する方法を示すフローチャートである。
【００３３】
まず、ワイヤレスリモコン９は液晶画面上に人感センサグループ設定画面を表示する（ステップＳ１）。使用者がワイヤレスリモコン９の「受信」ボタンを押下すると（ステップＳ２）、ワイヤレスリモコン９は通信ユニット１１のアドレスの問い合わせ信号を送信する（ステップＳ３）。ワイヤレスリモコン９は通信ユニット１１からアドレスを受信すると、液晶画面上にアドレスを表示する。アドレスが複数ある場合、ワイヤレスリモコン９は使用者が「選択」ボタンを押下する度に液晶画面上でアクティブにするアドレスを切り替える。使用者がアドレスを選択してワイヤレスリモコン９の「受信」ボタンを押下すると（ステップＳ４）、ワイヤレスリモコン９は、そのアドレスをもつ通信ユニット１１に接続された人感センサ３のアドレスを収集する（ステップＳ５）。ワイヤレスリモコン９は人感センサ３からアドレスを受信すると、液晶画面上にアドレスを表示する。アドレスが複数ある場合、ワイヤレスリモコン９は使用者がワイヤレスリモコン９の「選択」ボタンを押下する度に液晶画面上でアクティブにするアドレスを切り替える（ステップＳ６）。アドレスが選択される度に、当該アドレスをもつ人感センサ３本体に設けられた赤色ＬＥＤが点灯する。使用者がアドレスを選択してワイヤレスリモコン９の「決定」ボタンを押下すると（ステップＳ７）、確認用のブザー音が鳴り、そのアドレスをもつ人感センサ３がグループ設定の対象となることが決定する。他の人感センサ３を同じグループに設定する場合（ステップＳ８）、再度ステップＳ６、Ｓ７の選択動作を行う。その後、使用者がワイヤレスリモコン９の「グループ」ボタンを押下すると、ワイヤレスリモコン９は液晶画面上の「グループ」表示を点滅させ、使用者に「選択」ボタンでグループ番号を選択させる（ステップＳ９）。使用者がワイヤレスリモコン９の「送信」ボタンを押下すると（ステップＳ１０）、ワイヤレスリモコン９はコントローラ８と人感センサ３にグループ番号を登録する。
【００３４】
図１２は、ワイヤレスリモコン９を用いて照明器具２１のグループ番号を設定する方法を示すフローチャートである。
【００３５】
まず、ワイヤレスリモコン９は液晶画面上に照明器具グループ設定画面を表示する（ステップＳ１１）。使用者がワイヤレスリモコン９の「受信」ボタンを押下すると（ステップＳ１２）、ワイヤレスリモコン９は通信ユニット１１のアドレスの問い合わせ信号を送信する（ステップＳ１３）。ワイヤレスリモコン９は通信ユニット１１からアドレスを受信すると、液晶画面上にアドレスを表示する。アドレスが複数ある場合、ワイヤレスリモコン９は使用者が「選択」ボタンを押下する度に液晶画面上でアクティブにするアドレスを切り替える。使用者がアドレスを選択してワイヤレスリモコン９の「受信」ボタンを押下すると（ステップＳ１４）、ワイヤレスリモコン９は、そのアドレスをもつ通信ユニット１１に接続された照明装置２の照明器具２１（又は照明制御部２０）のアドレスを収集する（ステップＳ１５）。ワイヤレスリモコン９は照明器具２１からアドレスを受信すると、液晶画面上にアドレスを表示する。アドレスが複数ある場合、ワイヤレスリモコン９は使用者がワイヤレスリモコン９の「選択」ボタンを押下する度に液晶画面上でアクティブにするアドレスを切り替える（ステップＳ１６）。アドレスが選択される度に、当該アドレスをもつ照明器具２１に取り付けられたランプ２２が調光率１００％で点灯し、それ以外の照明器具２１に取り付けられたランプ２２が調光率２５％で点灯する。使用者がアドレスを選択してワイヤレスリモコン９の「決定」ボタンを押下すると（ステップＳ１７）、確認用のブザー音が鳴り、そのアドレスをもつ照明器具２１がグループ設定の対象となることが決定する。他の照明器具２１を同じグループに設定する場合（ステップＳ１８）、再度ステップＳ１６、Ｓ１７の選択動作を行う。その後、使用者がワイヤレスリモコン９の「グループ」ボタンを押下すると、ワイヤレスリモコン９は液晶画面上の「グループ」表示を点滅させ、使用者に「選択」ボタンでグループ番号を選択させる（ステップＳ１９）。使用者がワイヤレスリモコン９の「送信」ボタンを押下すると（ステップＳ２０）、ワイヤレスリモコン９はコントローラ８と照明器具２１にグループ番号を登録する。
【００３６】
図１３は、ワイヤレスリモコン９を用いて照明器具２１のグループ番号を再設定する方法を示すフローチャートである。なお、以下と同様の手順で人感センサ３のグループ番号を再設定することが可能である。
【００３７】
まず、ワイヤレスリモコン９は液晶画面上に照明器具グループ設定画面を表示する（ステップＳ２１）。使用者がワイヤレスリモコン９の「グループ」ボタンを押下すると、ワイヤレスリモコン９は液晶画面上の「グループ」表示を点滅させ、使用者に「選択」ボタンで現行のグループ番号を選択させる（ステップＳ２２）。使用者がワイヤレスリモコン９の「受信」ボタンを押下すると（ステップＳ２３）、ワイヤレスリモコン９は、そのグループ番号のグループに属する照明器具２１（又は照明制御部２０）のアドレスを収集する（ステップＳ２４）。ワイヤレスリモコン９は照明器具２１からアドレスを受信すると、液晶画面上にアドレスを表示する。アドレスが複数ある場合、ワイヤレスリモコン９は使用者がワイヤレスリモコン９の「選択」ボタンを押下する度に液晶画面上でアクティブにするアドレスを切り替える（ステップＳ２５）。アドレスが選択される度に、当該アドレスをもつ照明器具２１に取り付けられたランプ２２が調光率１００％で点灯し、それ以外の照明器具２１に取り付けられたランプ２２が調光率２５％で点灯する。使用者がアドレスを選択してワイヤレスリモコン９の「決定」ボタンを押下すると（ステップＳ２６）、確認用のブザー音が鳴り、そのアドレスをもつ照明器具２１がグループ再設定の対象となることが決定する。他の照明器具２１を同じグループに設定する場合（ステップＳ２７）、再度ステップＳ２５、Ｓ２６の選択動作を行う。その後、使用者がワイヤレスリモコン９の「グループ」ボタンを押下すると、ワイヤレスリモコン９は液晶画面上の「グループ」表示を点滅させ、使用者に「選択」ボタンでグループ番号を選択させる（ステップＳ２８）。使用者がワイヤレスリモコン９の「送信」ボタンを押下すると（ステップＳ２９）、ワイヤレスリモコン９はコントローラ８と照明器具２１にグループ番号を登録する。
【００３８】
図１４は、ワイヤレスリモコン９を用いて照明器具２１のグループ番号の設定を解除する方法を示すフローチャートである。
【００３９】
まず、ワイヤレスリモコン９は液晶画面上に照明器具グループ設定画面を表示する（ステップＳ３１）。使用者がワイヤレスリモコン９の「グループ」ボタンを押下すると、ワイヤレスリモコン９は液晶画面上の「グループ」表示を点滅させ、使用者に「選択」ボタンでグループ番号を選択させる（ステップＳ３２）。使用者がワイヤレスリモコン９の「受信」ボタンを押下すると（ステップＳ３３）、ワイヤレスリモコン９は、そのグループ番号のグループに属する照明器具２１（又は照明制御部２０）のアドレスを収集する（ステップＳ３４）。ワイヤレスリモコン９は照明器具２１からアドレスを受信すると、液晶画面上にアドレスを表示する。アドレスが複数ある場合、グループ内の照明器具２１について個別にグループ設定を解除するのであれば（ステップＳ３５）、ワイヤレスリモコン９は使用者がワイヤレスリモコン９の「選択」ボタンを押下する度に液晶画面上でアクティブにするアドレスを切り替える（ステップＳ３６）。アドレスが選択される度に、当該アドレスをもつ照明器具２１に取り付けられたランプ２２が調光率１００％で点灯し、それ以外の照明器具２１に取り付けられたランプ２２が調光率２５％で点灯する。使用者がアドレスを選択してワイヤレスリモコン９の「クリア」ボタンを押下すると（ステップＳ３７）、液晶画面上に「ＣＬ」が表示され、そのアドレスをもつ照明器具２１のグループ設定が解除の対象となることが決定する。他の照明器具２１についてグループ設定を解除する場合（ステップＳ３８）、再度ステップＳ３６、Ｓ３７の選択動作を行う。一方、グループ内の照明器具２１について一括でグループ設定を解除するのであれば（ステップＳ３５）、使用者がワイヤレスリモコン９の「クリア」ボタンを２回押下すると（ステップＳ３９）、液晶画面上に「ＡＬＬ」が表示され、全ての照明器具２１のグループ設定が解除の対象となることが決定する。ただし、照明器具２１に複数のグループ番号が登録されている場合は、今回選択されたグループ番号のみが削除される。その後、使用者がワイヤレスリモコン９の「送信」ボタンを押下すると（ステップＳ４０）、ワイヤレスリモコン９はコントローラ８と照明器具２１にグループ番号を削除させる。
【００４０】
以下では、中央管理装置１０の画面上でグループの設定を行う方法について具体例を説明する。
【００４１】
図１５は、中央管理装置１０のモニタ画面を示す図である。
【００４２】
図１５において、使用者は、中央管理装置１０のモニタ画面上でグループ番号や調光率などの設定値を変更したり、現在の動作内容をモニタしたりすることができる。例えば、使用者が中央管理装置１０のタッチパネル画面において、レイアウト図に配置された照明器具２１や人感センサ３などの機器にカーソルを合わせると、中央管理装置１０は、当該機器の現在の運転状態を画面に表示する。また、使用者が中央管理装置１０のタッチパネル画面において、各設定値を入力すると、中央管理装置１０は当該設定内容を変更する。通信ユニット１１の配下に、新規の照明器具２１や人感センサ３が接続された場合、中央管理装置１０は、画面の右上の新規接続機器欄にアイコンを表示し、使用者が、そのアイコンをレイアウト図上の該当位置に移動できるようにする。また、新規接続機器を配置する場合は、中央管理装置１０は、機器配置モードに切り替え、使用者がカーソルを合わせた機器が照明器具２１であれば、その照明器具２１に取り付けられたランプ２２を調光率１００％で点灯させ、その他の照明器具２１に取り付けられたランプ２２を調光率２５％で点灯させる。これにより、使用者は、画面上で選択した機器と、実際に設置した機器が合致しているかどうか確認することができる。
【００４３】
実施の形態２．
本実施の形態について、主に実施の形態１との差異を説明する。
【００４４】
本実施の形態では、照明装置２の照明制御部２０は、隣接する人感センサ３のうち所定数未満の人感センサ３にて人の存在又は不在が検知された場合、当該隣接する人感センサ３に共通して対応する照明器具２１に対して、ランプ２２の調光率を予め（一律で、あるいは、照明器具２１ごとに）設定された調光率に調光させる。一方、照明制御部２０は、当該隣接する人感センサ３のうち所定数以上の人感センサ３にて人の存在又は不在が検知された場合、実施の形態１と同様に、当該隣接する人感センサ３に共通して対応する照明器具２１に対して、ランプ２２の調光率を当該隣接する人感センサ３のそれぞれに設定された調光率のうち所定の基準により選択される値に調光させる。例えば、所定数を２とした場合、照明装置２において、照明制御部２０は、その照明装置２を制御範囲４に含む複数の人感センサ３のうち、１つの人感センサ３だけで人の存在（又は不在）が検知された場合、照明器具２１に対し、その人感センサ３に設定された調光率ではなく、予め一律に設定された調光率を指定してランプ２２を調光させる。一方、照明制御部２０は、その照明装置２を制御範囲４に含む複数の人感センサ３のうち、２つ以上の人感センサ３で人の存在（又は不在）が検知された場合、照明器具２１に対し、それらの人感センサ３に設定された調光率の最大値、平均値、最小値などを指定してランプ２２を調光させる。
【００４５】
このように、本実施の形態では、制御範囲４が重複する範囲に存在する照明器具２１は、複数の人感センサ３の検知状態によって動作するが、１ヵ所の人感センサ３のみの検知状態によって動作する場合には、その人感センサ３について、又は、その人感センサ３から送信された調光率指令に従わず、予め設定された下限調光率により調光点灯する。そして、２ヵ所以上の人感センサの検知状態によって動作する場合には、それらの人感センサ３について、又は、それらの人感センサ３から送信された調光率指令の中で、例えば最大の調光率を指定するものに従って動作する。これにより、人を誤検知した可能性がある状態（１ヵ所の人感センサ３のみでの検知）では照明装置２を低輝度点灯しておき、人を正しく検知した可能性が高い状態（２ヵ所以上の人感センサ３での検知）になってから照明装置２を高輝度点灯することが可能となり、省エネ効果が高まる。
【００４６】
以上、本発明の実施の形態について説明したが、これらのうち、２つ以上の実施の形態を組み合わせて実施しても構わない。あるいは、これらのうち、１つの実施の形態を部分的に実施しても構わない。あるいは、これらのうち、２つ以上の実施の形態を部分的に組み合わせて実施しても構わない。
【図面の簡単な説明】
【００４７】
【図１】実施の形態１に係る照明制御システムの構成を示すブロック図である。
【図２】実施の形態１に係る制御範囲と人感検知エリアの例を示す図である。
【図３】実施の形態１に係る制御範囲と人感検知エリアの例を示す図である。
【図４】実施の形態１に係る制御範囲と人感検知エリアの例を示す図である。
【図５】実施の形態１に係る制御範囲と人感検知エリアの例を示す図である。
【図６】実施の形態１に係る制御範囲と人感検知エリアの例を示す図である。
【図７】実施の形態１に係るコントローラが保持するデータの例を示す表である。
【図８】実施の形態１に係る照明制御部が保持するデータの例を示す表である。
【図９】実施の形態１に係る人感センサが保持するデータの例を示す表である。
【図１０】実施の形態１に係る不在制御タイムチャートである。
【図１１】実施の形態１に係るワイヤレスリモコンによる人感センサのグループ設定手順を示すフローチャートである。
【図１２】実施の形態１に係るワイヤレスリモコンによる照明器具のグループ設定手順を示すフローチャートである。
【図１３】実施の形態１に係るワイヤレスリモコンによる照明器具のグループ再設定手順を示すフローチャートである。
【図１４】実施の形態１に係るワイヤレスリモコンによる照明器具のグループ設定解除手順を示すフローチャートである。
【図１５】実施の形態１に係る中央管理装置のモニタ画面を示す図である。
【符号の説明】
【００４８】
１  照明制御システム、２  照明装置、３  人感センサ、４  制御範囲、５  人感検知エリア、６  照度センサ、７  壁スイッチ、８  コントローラ、９  ワイヤレスリモコン、１０  中央管理装置、１１  通信ユニット、１２  ゲートウェイ、２０  照明制御部、２１  照明器具、２２  ランプ、９０  選択部。
【図１】
0005371290.tif 000002
【図２】
0005371290.tif 000003
【図３】
0005371290.tif 000004
【図４】
0005371290.tif 000005
【図５】
0005371290.tif 000006
【図６】
0005371290.tif 000007
【図７】
0005371290.tif 000008
【図８】
0005371290.tif 000009
【図９】
0005371290.tif 000010
【図１０】
0005371290.tif 000011
【図１１】
0005371290.tif 000012
【図１２】
0005371290.tif 000013
【図１３】
0005371290.tif 000014
【図１４】
0005371290.tif 000015
【図１５】
0005371290.tif 000016